(57)【要約】  一実施形態によれば、対応関係にある光コネクタを受け入れる光レセプタクルがレセプタクルハウジング、レセプタクル光路及び位置決め可能なシャッタ組立体を有するのが良い。レセプタクルハウジングは、レセプタクルハウジングの端のところに設けられたコネクタポート及びレセプタクル通路を有する。コネクタポートは、対応関係をなす光コネクタを受け入れることができる。レセプタクル光路は、レセプタクルハウジング内で終端するのが良く、レセプタクル光路は、光導波路を含む。位置決め可能なシャッタ組立体は、位置決め可能なシャッタ組立体の支持面上に位置決めされたクリーニング部材を含む。位置決め可能なシャッタ組立体は、クリーニング部材が光導波路に接触し又はこの近くに位置し、そして位置決め可能なシャッタ組立体がレセプタクル通路内に配置されるよう閉じ位置に付勢されるのが良い。位置決め可能なシャッタ組立体は、クリーニング部材がレセプタクル光路上に配置されないよう開き位置に付勢されるのが良い。
2013522693.tif 000002
【特許請求の範囲】
【請求項１】
対応関係にある光コネクタを受け入れる光レセプタクルであって、前記光レセプタクルは、
レセプタクルハウジングを有し、前記レセプタクルハウジングは、前記レセプタクルハウジングの端のところに設けられたコネクタポート及び前記レセプタクルハウジング内に設けられたレセプタクル通路を有し、前記コネクタポートは、前記対応関係にある光コネクタを受け入れ、
前記レセプタクルハウジング内で終端したレセプタクル光路を有し、前記レセプタクル光路は、光導波路を含み、
前記レセプタクル光路に対する閉じ位置と開き位置を有する位置決め可能なシャッタ組立体を有し、前記位置決め可能なシャッタ組立体は、前記位置決め可能なシャッタ組立体の支持面上に位置決めされたクリーニング部材を含み、
前記対応関係にある光コネクタが前記レセプタクル通路内に位置決めされていないとき、前記位置決め可能なシャッタ組立体が前記閉じ位置に付勢され、前記クリーニング部材が前記光導波路に接触し又はその近くに位置し、前記位置決め可能なシャッタ組立体が前記レセプタクル通路内に配置されるようになっており、
前記対応関係にある光コネクタが前記レセプタクル通路内に位置決めされると、前記位置決め可能なシャッタ組立体が前記開き位置に付勢され、前記クリーニング部材が前記レセプタクル光路を覆った状態に位置決めされることはないようになっている、光レセプタクル。
【請求項２】
前記位置決め可能なシャッタ組立体は、前記レセプタクルハウジングの外面に結合された結合部材と、前記結合部材から延びるコネクタ係合部分と、前記コネクタ係合部分から延びるシャッタ部分とを含み、前記シャッタ部分は、前記支持面を有し、前記支持面は、実質的に平坦である、請求項１記載の光レセプタクル。
【請求項３】
前記位置決め可能なシャッタ組立体の前記コネクタ係合部分は、結合側端部及びシャッタ側端部を有し、ばね要素が前記レセプタクルハウジングを前記コネクタ係合部分の前記シャッタ側端部に結合している、請求項２記載の光レセプタクル。
【請求項４】
前記結合部材は、前記レセプタクルハウジングに回動可能に係合し、前記位置決め可能なシャッタ組立体は、前記閉じ位置と前記開き位置との間で回転することができる、請求項２記載の光レセプタクル。
【請求項５】
前記結合部材は、前記レセプタクルハウジングの前記外面に溶接され、前記位置決め可能なシャッタ組立体は、前記閉じ位置と前記開き位置との間で弾性的に変形する、請求項２記載の光レセプタクル。
【請求項６】
前記レセプタクルハウジングは、回転孔を有し、前記結合部材は、前記位置決め可能なシャッタ組立体が前記閉じ位置と前記開き位置との間で回転しているときに前記回転孔内で回転可能である、請求項２記載の光レセプタクル。
【請求項７】
前記レセプタクルハウジングと前記位置決め可能なシャッタ組立体とを結合する実質的に弧状のばね要素を更に有する、請求項２記載の光レセプタクル。
【請求項８】
前記レセプタクルハウジング及び前記位置決め可能なシャッタ組立体に結合された細長いばね要素を更に有し、前記細長いばね要素は、前記位置決め可能なシャッタ組立体を前記閉じ位置に付勢する、請求項１、２又は請求項４〜６のうちいずれか一に記載の光レセプタクル。
【請求項９】
光レセプタクル及びこれに対応関係にある光コネクタを有する光接続システムであって、
前記光レセプタクルは、レセプタクルハウジング、レセプタクル光路及び位置決め可能なシャッタ組立体を有し、
前記レセプタクルハウジングは、前記レセプタクルハウジングの端のところに設けられたコネクタポート及び前記コネクタポートから延びるレセプタクル通路を有し、前記コネクタポートは、前記対応関係にある光コネクタを受け入れ、
前記レセプタクル光路は、前記レセプタクルハウジング内で終端し、前記レセプタクル光路は、光導波路を含み、
前記位置決め可能なシャッタ組立体は、前記位置決め可能なシャッタ組立体の支持面上に位置決めされたクリーニング部材を含み、
前記対応関係にある光コネクタは、光コネクタハウジング及びコネクタ光路を有し、
前記対応関係にある光コネクタが前記レセプタクル通路内に位置決めされていないとき、前記位置決め可能なシャッタ組立体が前記閉じ位置に付勢され、その結果、前記クリーニング部材は、前記光導波路に接触し又はその近くに位置するようになっており、
前記対応関係にある光コネクタが前記レセプタクル通路内に位置決めされると、前記レセプタクル光路と前記コネクタ光路は、互いに光通信状態になり、前記光コネクタハウジングが前記位置決め可能なシャッタ組立体に係合して前記位置決め可能なシャッタ組立体が前記開き位置に付勢され、前記クリーニング部材が前記レセプタクル光路を覆った状態に位置決めされないようになっている、光接続システム。
【請求項１０】
前記光レセプタクルは、前記レセプタクルハウジング内に設けられると共に前記レセプタクルハウジングの内面に結合された支持本体を有する、請求項９記載の光接続システム。
【請求項１１】
前記光レセプタクルは、前記レセプタクルハウジング内に設けられると共に前記コネクタポートから間隔を置いて配置された嵌合壁を有し、前記嵌合壁は、前記支持本体に対して非平行である、請求項１０記載の光接続システム。
【請求項１２】
前記支持本体は、前記対応関係にある光コネクタの対応関係にある電気トレースと嵌合する少なくとも１つの電気トレースを有する、請求項１１記載の光接続システム。
【請求項１３】
前記嵌合壁は、レセプタクルアライメント部材を有し、前記対応関係にある光コネクタは、前記光コネクタハウジング内に設けられた光コネクタアライメント部材を有し、前記レセプタクルアライメント部材と前記光コネクタアライメント部材は、前記対応関係にある光コネクタを前記レセプタクル通路内に位置決めすると、互いに嵌合関係をなす、請求項１１又は１２記載の光接続システム。
【請求項１４】
前記位置決め可能なシャッタ組立体の前記支持面は、前記支持本体に対して非平行であり、前記嵌合壁から間隔を置いて配置され、実質的に剛性である、請求項１１〜１３のうちいずれか一に記載の光接続システム。
【請求項１５】
対応関係にある光コネクタを受け入れる光レセプタクルであって、前記光レセプタクルは、
レセプタクルハウジングを有し、前記レセプタクルハウジングは、前記レセプタクルハウジングに孔を形成するコネクタポートを有し、前記コネクタポートは、前記対応関係にある光コネクタを受け入れ、
前記レセプタクルハウジング内で終端したレセプタクル光路を有し、前記レセプタクル光路は、光導波路を含み、
前記レセプタクル光路に対する閉じ位置と開き位置を有する位置決め可能なシャッタ組立体を有し、前記位置決め可能なシャッタ組立体は、前記位置決め可能なシャッタ組立体の支持面上に位置決めされたクリーニング部材を含み、
前記位置決め可能なシャッタ部材が前記閉じ位置に付勢されると、前記クリーニング部材が前記光導波路に接触し又はこの近くに位置し、前記位置決め可能なシャッタ組立体が前記コネクタポートを覆い、
前記位置決め可能なシャッタ部材が前記開き位置に付勢されると、前記クリーニング部材が前記レセプタクル光路を覆った状態に位置決めされることはなく、前記位置決め可能なシャッタ組立体は、前記コネクタポートの少なくとも一部分が塞がれないよう前記コネクタポートに隣接して位置する、光レセプタクル。
【請求項１６】
前記位置決め可能なシャッタ組立体のばね係合部分に結合されたばね要素を更に有し、前記ばね要素は、前記位置決め可能なシャッタ組立体を前記閉じ位置に付勢する、請求項１５記載の光レセプタクル。
【請求項１７】
前記レセプタクルハウジングに結合されると共に前記位置決め可能なシャッタ組立体に摺動自在に係合する摺動部材を更に有する、請求項１５記載の光レセプタクル。
【請求項１８】
前記レセプタクルハウジング内に設けられた能動素子を更に有する、請求項１〜８又は請求項１５〜１７のうちいずれか一に記載の光レセプタクル。
【請求項１９】
前記クリーニング部材は、前記支持面に取り外し可能に嵌着される、請求項１〜８又は請求項１５〜１８のうちいずれか一に記載の光レセプタクル。
【請求項２０】
前記レセプタクルハウジングは、消費者向き電子装置のハウジングである、請求項１〜８又は請求項１５〜１９のうちいずれか一に記載の光レセプタクル。
【発明の詳細な説明】
【技術分野】
【０００１】
本発明は、一般に、光レセプタクルに関し、特に、光導波路をクリーニングするシャッタ組立体を含む光レセプタクル並びにかかる光レセプタクルを備えたシステム及び装置に関する。
【０００２】
〔関連出願の説明〕
本願は、２０１０年３月１９日に出願された米国特許仮出願第６１／３１５，４２１号（発明の名称：Integrated Cleaning Method for Use in Small Form Consumer Electronics Applications）及び２０１０年１１月２２日に出願された米国特許出願第１２／９５１，２８８号（発明の名称：Optical Receptacles and Systems and Devices Including Optical Receptacles）の権益主張出願である。
【背景技術】
【０００３】
光導波路は、通常、機械的結合部を介して他の光導波路に接続され、機械的結合部は、光導波路を互いに位置合わせ又は軸合わせして光導波路を通る光の伝送を可能にする。例えば、光導波路は、研磨端面で終端している場合がある。機械的結合部は、それぞれの研磨端面を互いに押すことによって作られるのが良く、その結果、表面と表面の直接的な接触（例えば、ガラスとガラスの接触又はプラスチックとプラスチックの接触）が得られる。直接的な表面と表面の接触は、光導波路相互間の不連続性に起因した接続損の大きさを減少させる。
【発明の概要】
【発明が解決しようとする課題】
【０００４】
光導波路の使用が例えば携帯電話又は小型コンピュータ（例えば、ラップトップ、ネットブック及びタブレット）のような用途において普及するにつれ、端面が例えば汚れのような汚染要因物のある環境にさらされる確率が増大している。汚れに起因した光導波路の汚染の恐れを減少させる必要性がますます重要になっている。
【０００５】
したがって、光導波路をクリーニングするシャッタ組立体を有する代替的な光レセプタクルが要望されている。
【課題を解決するための手段】
【０００６】
一実施形態によれば、対応関係にある光コネクタを受け入れる光レセプタクルがレセプタクルハウジング、レセプタクル光路及び位置決め可能なシャッタ組立体を有するのが良い。レセプタクルハウジングは、レセプタクルハウジングの端のところに設けられたコネクタポート及びレセプタクルハウジング内に設けられたレセプタクル通路を有する。コネクタポートは、対応関係にある光コネクタを受け入れるのが良い。レセプタクル光路は、レセプタクルハウジング内で終端するのが良く、レセプタクル光路は、光導波路を含むのが良い。位置決め可能シャッタ組立体は、レセプタクル光路に対する閉じ位置と開き位置を有する。位置決め可能シャッタ組立体は、位置決め可能シャッタ組立体の支持面上に位置決めされたクリーニング部材を含む。対応関係にある光コネクタがレセプタクル通路内に位置決めされていないとき、位置決め可能シャッタ組立体が閉じ位置に付勢され、クリーニング部材が光導波路に接触し又はその近くに位置し、位置決め可能シャッタ組立体がレセプタクル通路内に配置されるようになっている。対応関係にある光コネクタがレセプタクル通路内に位置決めされると、位置決め可能シャッタ組立体が開き位置に付勢され、クリーニング部材がレセプタクル光路を覆った状態に位置決めされることはないようになっている。
【０００７】
別の実施形態では、光接続システムが光レセプタクル及びこれに対応関係にある光コネクタを有する。光レセプタクルは、レセプタクルハウジング、レセプタクル光路及び位置決め可能なシャッタ組立体を有するのが良い。レセプタクルハウジングは、レセプタクルハウジングの端のところに設けられたコネクタポート及びコネクタポートから延びるレセプタクル通路を有する。コネクタポートは、対応関係にある光コネクタを受け入れるのが良い。レセプタクル光路は、レセプタクルハウジング内で終端するのが良く、レセプタクル光路は、光導波路を含むのが良い。位置決め可能シャッタ組立体は、位置決め可能シャッタ組立体の支持面上に位置決めされたクリーニング部材を含む。対応関係にある光コネクタは、光コネクタハウジング及びコネクタ光路を有するのが良い。対応関係にある光コネクタがレセプタクル通路内に位置決めされていないとき、位置決め可能シャッタ組立体が閉じ位置に付勢され、その結果、クリーニング部材は、光導波路に接触し又はその近くに位置するようになっている。対応関係にある光コネクタがレセプタクル通路内に位置決めされると、レセプタクル光路とコネクタ光路は、互いに光通信状態になり、光コネクタハウジングが位置決め可能シャッタ組立体に係合して位置決め可能シャッタ組立体が開き位置に付勢され、クリーニング部材がレセプタクル光路を覆った状態に位置決めされることはないようになっている。
【０００８】
さらに別の実施形態では、消費者向け電子装置が少なくとも１つの光回路を収容したハウジング及びハウジング内に設けられた光レセプタクルを有する場合がある。光レセプタクルは、レセプタクルハウジング、レセプタクル光路及び位置決め可能なシャッタ組立体を有するのが良い。レセプタクルハウジングは、レセプタクルハウジングの端のところに設けられたコネクタポート及びレセプタクルハウジング内に設けられたレセプタクル通路を有する。コネクタポートは、対応関係にある光コネクタを受け入れるのが良い。レセプタクル光路は、レセプタクルハウジング内で終端するのが良く、レセプタクル光路は、光導波路を含むのが良い。位置決め可能シャッタ組立体は、レセプタクル光路に対する閉じ位置と開き位置を有する。位置決め可能シャッタ組立体は、位置決め可能シャッタ組立体の支持面上に位置決めされたクリーニング部材を含む。対応関係にある光コネクタがレセプタクル通路内に位置決めされていないとき、位置決め可能シャッタ組立体が閉じ位置に付勢され、クリーニング部材が光導波路に接触し又はその近くに位置し、位置決め可能シャッタ組立体がレセプタクル通路内に配置されるようになっている。対応関係にある光コネクタがレセプタクル通路内に位置決めされると、位置決め可能シャッタ組立体が開き位置に付勢されるのが良く、クリーニング部材がレセプタクル光路を覆った状態に位置決めされることはないようになっている。
【０００９】
別の実施形態では、対応関係にある光コネクタを受け入れる光レセプタクルがレセプタクルハウジング、レセプタクル光路及び位置決め可能なシャッタ組立体を有するのが良い。レセプタクルハウジングは、レセプタクルハウジングに孔を形成するコネクタポートを有する。コネクタポートは、対応関係にある光コネクタを受け入れるのが良い。レセプタクル光路は、レセプタクルハウジング内で終端するのが良い。レセプタクル光路は、光導波路を含む。位置決め可能シャッタ組立体は、レセプタクル光路に対する閉じ位置と開き位置を有する。位置決め可能シャッタ組立体は、位置決め可能シャッタ組立体の支持面上に位置決めされたクリーニング部材を含む。位置決め可能シャッタ部材が閉じ位置に付勢されると、クリーニング部材は、光導波路に接触するのが良く又はこの近くに位置するのが良く、位置決め可能シャッタ組立体は、コネクタポートを覆うのが良い。位置決め可能シャッタ部材が開き位置に付勢されると、クリーニング部材は、レセプタクル光路上には位置決めされず、位置決め可能シャッタ組立体は、コネクタポートの少なくとも一部分が塞がれないようコネクタポートに隣接して位置するのが良い。
【００１０】
追加の特徴及び利点は、以下の詳細な説明に記載されており、部分的にはかかる説明から当業者には容易に明らかであり、或いは以下の詳細な説明、特許請求の範囲並びに添付の図面を含む明細書において開示する実施形態を実施することによって認識されよう。
【００１１】
上述の概要説明と以下の詳細な説明の両方は、種々の実施形態に関しており、特許請求の範囲に記載された発明の性質及び性格を理解するための概観又は枠組を提供するようになっていることは理解されるべきである。添付の図面は、種々の実施形態の一層の理解を提供するために添付されており、本明細書に組み込まれてその一部をなす。図面は、本明細書において説明する種々の実施形態を示しており、詳細な説明と一緒になって、特許請求の範囲に記載された本発明の原理及び作用を説明するのに役立つ。
【図面の簡単な説明】
【００１２】
【図１】図示すると共に本明細書において説明する１つ又は２つ以上の実施形態に従ってシャッタが開き位置にある状態の光レセプタクルの略図である。
【図２Ａ】図示すると共に本明細書において説明する１つ又は２つ以上の実施形態に従ってシャッタが開き位置にある状態の光レセプタクルの略図である。
【図２Ｂ】図示すると共に本明細書において説明する１つ又は２つ以上の実施形態としての対応の光コネクタの略図である。
【図３Ａ】図示すると共に本明細書において説明する１つ又は２つ以上の実施形態に従ってシャッタが開き位置にある状態の光レセプタクルの略図である。
【図３Ｂ】図示すると共に本明細書において説明する１つ又は２つ以上の実施形態に従ってシャッタが閉じ位置にある状態の光レセプタクルの略図である。
【図４Ａ】図示すると共に本明細書において説明する１つ又は２つ以上の実施形態に従ってシャッタが閉じ位置にある状態の光レセプタクルの略図である。
【図４Ｂ】図示すると共に本明細書において説明する１つ又は２つ以上の実施形態に従ってシャッタが開き位置にある状態の光レセプタクルの略図である。
【図５】図示すると共に本明細書において説明する１つ又は２つ以上の実施形態としての光レセプタクルを備えた消費者向け電子装置の略図である。
【図６】図示すると共に本明細書において説明する１つ又は２つ以上の実施形態に従ってシャッタが開き位置にある状態の光レセプタクルの略図である。
【図７Ａ】図示すると共に本明細書において説明する１つ又は２つ以上の実施形態に従ってシャッタが開き位置にある状態の光レセプタクルの略図である。
【図７Ｂ】図示すると共に本明細書において説明する１つ又は２つ以上の実施形態に従ってシャッタが閉じ位置にある状態の光レセプタクルの略図である。
【発明を実施するための形態】
【００１３】
次に、本発明の現時点において好ましい実施形態を詳細に参照し、これら実施形態の実施例が添付の図面に示されている。可能である場合にはいつでも、同一又は例示の参照符号が図面全体にわたり、同一又は類似の部分を示すために用いられている。本発明の一実施形態としての光レセプタクルが図１に示されており、この光レセプタクルは、図全体にわたり、全体として参照符号１００で示されている。対応関係にある光コネクタを受け入れる光レセプタクルは、主要構成要素として、レセプタクルハウジング、レセプタクル光路及びクリーニング部材を備えた位置決め可能なシャッタ組立体を有する。本明細書において、光レセプタクル並びに光レセプタクルを有する光接続システム及び消費者向け電子装置の実施形態について詳細に説明する。
【００１４】
今、図１を参照すると、レセプタクルハウジング１１０は、全体として光レセプタクル１００の形状を定める構造部材である。注目されるように、レセプタクルハウジング１１０の形状が図１〜図４Ｂにおいて実質的にボックス形のものとして示されているが、この形状は、例えばＵＳＢ１．０、ＵＳＢ２．０、ＵＳＢ３．０、ＳＡＴＡ、ＩＥＥＥ１３９４若しくは任意他の公知のインタフェース規格、又は更に開発される予定のインタフェース規格に対応するよう変更可能である。
【００１５】
本明細書において説明する実施形態では、レセプタクルハウジング１１０は、内面１１２、外面１１４、レセプタクル通路１１６及びコネクタポート１１８を有するのが良い。内面１１２は、レセプタクル通路１１６を少なくとも部分的に包囲すると共にこれを少なくとも部分的に構成する。コネクタポート１１８は、レセプタクルハウジング１１０の端のところに設けられている。コネクタポート１１８は、対応関係にある光コネクタ１７０（図２Ｂ）をレセプタクル通路１１６中に挿入しているときにこの光コネクタ１７０を受け入れる。レセプタクルハウジング１１０は、対応のインタフェース規格に記載されている金属又は任意他の材料で作られるのが良い。
【００１６】
次に図２Ａを参照すると、光レセプタクル１００の実施形態は、光データの通信のための１つ又は２つ以上のレセプタクル光路１３２を有している。各レセプタクル光路１３２は、光データを伝送する光導波路を含む。光導波路は、光を伝送する任意の材料から成っていて良く、かかる材料としては、光をその軸線に沿って伝送する円筒形のガラス又はポリマー材料（即ち、光ファイバ）が挙げられるが、これには限定されない。光データは、レセプタクル光路１３２を介して伝送され、このレセプタクル光路は、レセプタクルハウジング１１０内で終端している。具体的に説明すると、レセプタクル光路１３２は、レセプタクル通路１１６内で又はレセプタクル通路１１６に隣接して終端するのが良い。一実施形態では、レセプタクル光路１３２は、コネクタハウジング内に設けられた嵌合壁１３０を貫通して延びる。嵌合壁１３０は、レセプタクル通路１１６の端のところでコネクタポート１１８から間隔を置いて配置されている。別の実施形態では、光レセプタクル１００は、レセプタクルハウジング１１０内に設けられていて、光信号を発生させる能動素子（図示せず）から成る。能動素子は、電気エネルギーを光エネルギーに変換する任意の装置であって良く、例えば、光源又は光増幅器である。
【００１７】
次に図３Ａを参照すると、光レセプタクル１００は、光導波路をクリーニングする位置決め可能なシャッタ組立体１４０を有する。位置決め可能シャッタ組立体１４０は、位置決め可能シャッタ組立体１４０の支持面１５０上に設けられたクリーニング部材１４８を有する。具体的に説明すると、クリーニング部材１４８は、レンズクリーニング材料、例えば繊維材料、スポンジ状材料、フォーム材料等から成るのが良い。幾つかの実施形態では、レンズクリーニング材料は、光導波路に用いるのに適したクリーニング溶液を更に含むのが良い。クリーニング部材１４８は、位置決め可能シャッタ組立体１４０の支持面１５０に取り外し可能に嵌着されるのが良く、即ち、クリーニング部材１４８は、クリーニング部材１４８を光レセプタクル１００の寿命全体を通じて定期的に交換することができるよう一時的に締結されるのが良い。別の実施形態では、位置決め可能シャッタ組立体１４０の支持面１５０は、実質的に平坦であり、即ち、比較的平らな表面である。
【００１８】
図３Ａ及び図３Ｂをひとまとめに参照すると、レセプタクル光路１３２内に位置決めされた光導波路を位置決め可能シャッタ組立体１４０がレセプタクル光路１３２に対して開き位置（図３Ａ）と閉じ位置（図３Ｂ）との間で移り変わっているときにクリーニングすることができる。一実施形態では、位置決め可能シャッタ組立体１４０は、結合部材１４２、コネクタ係合部分１４４及びシャッタ部分１４６を含む。結合部材１４２は、レセプタクルハウジング１１０の外面１１４に結合されている。結合部材１４２は、機械的結合手段、例えば接着剤、溶接部、ボルト、ねじ、リベット等によりレセプタクルハウジング１１０に結合されても良い。結合部材１４２は、レセプタクルハウジング１１０と一体であっても良い。コネクタ係合部分１４４は、結合部材１４２から延びている。具体的に説明すると、コネクタ係合部分１４４は、片持ちされた状態でレセプタクルハウジング１１０に設けられた切欠き１６０を貫通して延びるのが良い。シャッタ部分１４６は、コネクタ係合部分１４４から延びている。シャッタ部分１４６は、支持面１５０を有し、この支持面上にはクリーニング部材が位置決めされている。位置決め可能シャッタ組立体１４０は、任意の弾性変形可能であり且つ回収可能な材料、例えば、金属、プラスチック等から成るのが良い。
【００１９】
位置決め可能シャッタ組立体１４０は、閉じ位置（図３Ｂ）と開き位置（図３Ａ）との間で弾性変形可能である。例えば、図３Ｂに示されているように、コネクタ係合部分１４４は、当初、閉じ位置に付勢されている。位置決め可能シャッタ組立体１４０が閉じ位置にあるとき、コネクタ係合部分１４４は、レセプタクル通路を少なくとも部分的に塞ぎ又は遮り、クリーニング部材１４８は、光導波路の表面と接触状態にある。光導波路は、対応関係にある光コネクタ１７０（図２Ｂ）を挿入することによってクリーニングされ、この光コネクタ１７０は、コネクタ係合部分１４４に接触してこれを開き位置に付勢する。例えば、対応関係にある光コネクタ１７０は、光レセプタクル１００により受け入れられるのが良い。対応関係にある光コネクタ１７０がコネクタポート１１８を通ってレセプタクル通路１１６中に押圧されているとき、コネクタ係合部分１４４は、対応関係にある光コネクタ１７０の運動に抵抗する。対応関係にある光コネクタ１７０で位置決め可能シャッタ組立体１４０を弾性変形させることによりこの抵抗に打ち勝つことができる。位置決め可能シャッタ組立体１４０を変形させると、位置決め可能シャッタ組立体１４０は、レセプタクルハウジング１１０の内面１１２に向かって、即ち、位置決め可能シャッタ組立体１４０を閉じ位置に付勢する弾性力とは逆の方向に変位する。対応関係にある光コネクタ１７０は、レセプタクル通路１１６を通ってコネクタ係合部分１４４に係合し、それにより位置決め可能シャッタ組立体１４０を開き位置に付勢することができる。
【００２０】
図４Ａ及び図４Ｂに示された別の実施形態では、位置決め可能シャッタ組立体１４０のコネクタ係合部分１４４は、結合側端部１５４及びシャッタ側端部１５６を有している。ばね要素１５２が位置決め可能シャッタ組立体１４０を閉じ位置（図４Ａ）に付勢するためにレセプタクルハウジング１１０をコネクタ係合部分１４４のシャッタ側端部１５６に結合するのが良い。ばね要素１５２は、位置決め可能シャッタ組立体１４０を付勢することができる形状のものであれば、どのようなものであっても良く、例えば、細長いばね要素、螺旋状のばね要素、円錐形のばね要素、弓形のばね要素、片持ち形のばね要素等であって良い。かくして、ばね要素１５２がレセプタクルハウジング１１０と位置決め可能シャッタ組立体１４０との間に配置された実質的に弧状のばね要素として図４Ａ及び図４Ｂに示されているが、ばね要素１５２は、位置決め可能シャッタ組立体１４０を付勢するのに適した形状のものであればどのようなものであっても良い。加うるに、注目されるように、光レセプタクル１００がレセプタクルハウジング１１０と一体である２つのばね要素１５２を有するものとして図４Ａ及び図４Ｂに示されているが、本明細書において説明する実施形態は、レセプタクルハウジング１１０と一体であっても良く又はこれに結合された別々の要素であっても良い任意個数のばね要素を有することができる。さらに、位置決め可能シャッタ組立体１４０は、剛性材料、例えば金属、プラスチック等から成っていても良いことが注目される。
【００２１】
結合部材１４２をレセプタクルハウジング１１０に回動可能に係合させて位置決め可能シャッタ組立体１４０が閉じ位置（図４Ａ）と開き位置（図４Ｂ）との間で回転可能であるようにするのが良い。具体的に説明すると、レセプタクルハウジングは、結合部材１４２の突出部を包囲すると共にこれと嵌合する回転孔１１９を有するのが良い。回転孔１１９と結合部材１４２の係合により、位置決め可能シャッタ組立体１４０は、閉じ位置（図４Ａ）と開き位置（図４Ｂ）との間で回転することができる。例えば、対応関係にある光コネクタ１７０（図２Ｂ）がコネクタポート１１８を通ってレセプタクル通路１１６中に押圧されるのが良い。対応関係にある光コネクタ１７０がコネクタ係合部分１４４に接触すると、ばね要素１５２は、対応関係にある光コネクタ１７０の運動に抵抗する。対応関係にある光コネクタ１７０をレセプタクル通路１１６内に更に押し込むことによりばね要素１５２を弾性変形することによってこの抵抗に打ち勝つことができる。ばね要素１５２を変形させると、位置決め可能シャッタ組立体１４０が回され、クリーニング部材１４８が光導波路をクリーニングする。
【００２２】
図２Ａ及び図２Ｂをひとまとめに参照すると、光接続システムは、光通信を容易にするよう協働する光レセプタクル１００とこれに対応関係にある光コネクタ１７０を有している。このシステムの一実施形態では、対応関係にある光コネクタ１７０は、光コネクタハウジング１７２及び光ハウジング１７２内で終端したコネクタ光路１７４を有している。対応関係にある光コネクタ１７０をレセプタクル通路１１６内に位置決めすると、レセプタクル光路１３２とコネクタ光路１７４を互いに光通信状態にすることができる。
【００２３】
レセプタクル光路１３２とコネクタ光路１７４を光通信状態にする前に、対応関係にある光コネクタ１７０は、位置決め可能シャッタ組立体１４０を閉じ位置から開き位置（図２Ａ）に作動させ、それによりレセプタクル光路１３２内に位置決めされている光導波路をクリーニングさせることができる。例えば、位置決め可能シャッタ組立体１４０は、対応関係にある光コネクタ１７０がレセプタクル通路１１６内に位置決めされない場合、クリーニング部材１４８（図２Ａ及び図２Ｂには示されていない）が光導波路に接触し又はこの近くに位置するよう閉じ位置に付勢されるのが良い。本明細書で用いられる「〜の近く」という用語は、クリーニング部材１４８が、このクリーニング部材が光導波路に接触しないよう位置決めされ、又、クリーニング部材１４８が動かされたとき、即ち、閉じ位置から開き位置への移行中、光導波路に接触することができるほど光導波路の近くに位置することを意味している。
【００２４】
光コネクタハウジング１７２が位置決め可能シャッタ組立体１４０に係合すると、位置決め可能シャッタ組立体１４０は、光コネクタハウジング１７２によって、クリーニング部材１４８がレセプタクル光路１３２を覆った状態に位置決めされることはないよう開き位置に付勢される。かくして、レセプタクル光路１３２とコネクタ光路１７４が互いに位置合わせされているとき、位置決め可能シャッタ組立体１４０は、閉じ位置から開き位置に移行する。移行と同時に、クリーニング部材１４８は、光導波路の表面上をこれに沿って摺動して光導波路から汚れを除去する。一実施形態では、クリーニング部材は、実質的に剛性の支持面１５０に結合され、即ち、支持面１５０は、クリーニング部材１４８を光導波路の表面上でこれに沿って摺動しているときの撓み又は変形に抵抗する実質的に一定の形状を保つ。別の実施形態では、支持面１５０は、可撓性である。
【００２５】
さらに図２Ａ及び図２Ｂを参照すると、光レセプタクル１００は、レセプタクルハウジング１１０内に設けられると共にレセプタクルハウジング１１０の内面１１２に結合された支持本体１２０を有するのが良い。光レセプタクル１００は、レセプタクルハウジング１１０内に設けられると共にコネクタポート１１８から間隔を置いて位置した嵌合壁１３０を更に有するのが良い。一実施形態では、嵌合壁１３０は、支持本体１２０に対して非平行である。別の実施形態では、位置決め可能シャッタ組立体１４０の支持面１５０は、支持本体１２０に対して非平行であり且つ嵌合壁１３０から間隔を置いて位置している。
【００２６】
支持本体１２０は、対応関係にある光コネクタ１７０の対応関係にある電気トレース１８２と嵌合する少なくとも１本の電気トレース１２２を有するのが良い。例えば、電気トレース１２２は、対応関係にある光コネクタ１７０が光レセプタクル１００中に挿入されると、対応関係にある電気トレース１８２と電気的連絡関係をなすのが良い。本明細書で用いられる「電気的連絡」という用語は、コンポーネントが導電性媒体、例えば端子ブロック、ポスト、はんだ継手、一体形回路トレース、ワイヤ等により互いに電気又は電磁信号を送ることができるということを意味している。
【００２７】
光通信及び電気的連絡を容易にするため、嵌合壁１３０は、レセプタクルアライメント部材１３６を有するのが良く、対応関係にある光コネクタ１７０は、光コネクタハウジング１７２内に設けられた光コネクタアライメント部材１７６を有するのが良い。例えば、レセプタクルアライメント部材１３６及び光コネクタアライメント部材１７６は、対応関係にある光コネクタ１７０をレセプタクル通路１１６内に位置決めすると、レセプタクルアライメント部材１３６と光コネクタアライメント部材１７６を互いに嵌合させることができるよう同心形状のものであるがの良い。具体的に説明すると、レセプタクルアライメント部材１３６は、円形断面の凹部であるのが良く、光コネクタアライメント部材１７６は、円形断面の突出部であるのが良い。レセプタクルアライメント部材１３６及び光コネクタアライメント部材１７６は、図２Ａ及び図２Ｂでは、円形又は長円形断面を有するものとして示されているが、レセプタクルアライメント部材１３６及び光コネクタアライメント部材１７６は、光レセプタクル１００と対応関係にある光コネクタ１７０のアライメント（位置合わせ又は軸合わせ）を容易にする断面であればどのような断面のものであっても良く、例えば、長方形、正方形、多角形等のものである。さらに、注目されるように、２つのレセプタクルアライメント部材１３６及び２つの光コネクタアライメント部材１７６が図２Ａ及び図２Ｂに示されているが、本明細書において説明する実施形態は、任意数のレセプタクルアライメント部材１３６及び任意の数の光コネクタアライメント部材１７６を有して良い。
【００２８】
次に図５を参照すると、一実施形態では、消費者向け電子装置２００は、少なくとも１つの光回路２０２及び光レセプタクル１００を有している。光回路２０２は、消費者向け電子装置２００の光レセプタクル１００と装置エレクトロニクス２０４との間でデータを交換する（全体として、図５に両方向示す矢印を付けた線で示されている）。光回路は、電気‐光変換及び／又は光‐電気変換のための少なくとも１つのデバイス、例えば、光電子デバイスを有する。装置エレクトロニクス２０４は、光回路２０２とデータと交換するメモリ２０６及びプロセッサ２０８を有する。プロセッサ２０８は、集積回路、マイクロチップ、コンピュータ又は機械可読命令を実行することができる任意他のコンピュータ処理装置であるのが良い。プロセッサ２０８は、メモリ２０６に通信可能に結合されている。メモリは、ＲＡＭ、ＲＯＭ、フラッシュメモリ、ハードドライブ又は機械可読命令を記憶することができる任意の装置であって良い。本明細書において説明する実施形態では、プロセッサ２０８とメモリ２０６は、互いに一体であっても良く、或いは、プロセッサ２０８とメモリ２０６は、互いに通信可能に結合された別々のコンポーネントであっても良い。注目されるように、消費者向け電子装置２００が図５ではノートブック形コンピュータとして示されているが、消費者向け電子装置は、任意の電動装置、例えばコンピュータ処理装置、移動通信装置、テレビジョン、ＭＰ３プレーヤ等であっても良い。
【００２９】
対応関係にある光コネクタ１７０を受け入れる別の実施形態としての光レセプタクル３００が図６に示されている。この実施形態では、光レセプタクル３００は、レセプタクルハウジング３１０、レセプタクル光路１３２及び位置決め可能なシャッタ組立体３４０を有している。レセプタクルハウジング３１０は、レセプタクルハウジング３１０に孔を形成するコネクタポート３１８を有している。一実施形態では、レセプタクルハウジング３１０は、消費者向け電子装置、例えばコンピュータ、カメラ、パーソナルミュージックプレーヤ、スマートホン等のハウジングである。コネクタポート３１８は、図６では、長方形の孔を構成する長方形の切欠きとして示されている。注目されるように、コネクタポート３１８は、任意形状のものであって良く、例えば、長方形、正方形、多角形、円形、楕円形等である。一般に、コネクタポート３１８は、対応関係にある光コネクタ１７０を受け入れると共に収納するよう形作られており、即ち、コネクタポート３１８は、対応関係にある光コネクタ１７０よりも大径である。レセプタクル光路１３２は、レセプタクルハウジング３１０内で終端しており、このレセプタクル光路は、上述したように、光導波路を含む。
【００３０】
図７Ａ及び図７Ｂをひとまとめに参照すると、位置決め可能シャッタ組立体３４０は、コネクタポート３１８に対して開き位置（図７Ａ）と閉じ位置（図７Ｂ）との間で動く。位置決め可能シャッタ組立体３４０は、位置決め可能シャッタ組立体３４０の支持面１５０上に位置決めされたクリーニング部材１４８を有する。位置決め可能シャッタ組立体３４０は、例えば機械的作動、電気的作動、手動による作動等のような作動によって開き位置、閉じ位置又は中間位置（図示せず）に付勢されるのが良い。一実施形態では、位置決め可能シャッタ組立体３４０は、手動による作動によって付勢される。具体的に説明すると、位置決め可能シャッタ組立体３４０を手（例えば、親指又はその他の指）で所与の動作範囲全体にわたり動かすことができる。動作範囲は、閉じ位置、開き位置及び中間位置、即ち、閉じ位置と開き位置との間の過渡的位置を含む。
【００３１】
図７Ｂを参照すると、位置決め可能シャッタ組立体３４０が閉じ位置に付勢されると、クリーニング部材１４８は、光導波路に接触し又はその近くに位置する。一実施形態では、クリーニング部材１４８の一部分は、閉じ位置にあるとき、光導波路に触れる。別の実施形態では、クリーニング部材１４８は、閉じ位置にあるとき、光導波路の近くに位置する。具体的に説明すると、クリーニング部材１４８は、光導波路から所与の距離離れて位置する。この距離は、位置決め可能シャッタ組立体３４０を閉じ位置から作動させると、クリーニング部材１４８が中間位置で、光導波路に接触するよう較正されるのが良い。位置決め可能シャッタ組立体３４０は又、位置決め可能シャッタ組立体３４０が閉じ位置に付勢されると、コネクタポート３１８を覆う。具体的に説明すると、位置決め可能シャッタ組立体３４０は、コネクタポート３１８により構成されたレセプタクルハウジング３１０の孔が位置決め可能シャッタ組立体３４０によって実質的に埋められるようレセプタクルハウジング３１０と嵌合する。
【００３２】
次に図７Ａを参照すると、位置決め可能シャッタ組立体３４０が開き位置に付勢されると、クリーニング部材１４８がレセプタクル光路１３２を覆った状態に位置決めされることはない（図６）。開き位置では、クリーニング部材１４８は、レセプタクル光路１３２からずらされるのが良く又は取り除かれるのが良い。例えば、クリーニング部材１４８は、レセプタクル光路１３２から横方向にずらされるのが良く、その結果、対応関係にある光コネクタ１７０をレセプタクル光路１３２に嵌合させることができる。位置決め可能シャッタ組立体３４０は、開き位置に付勢されると、コネクタポート３１８に隣接して位置し、その結果、コネクタポート３１８の少なくとも一部分が塞がれないようになる。例えば、位置決め可能シャッタ組立体３４０をコネクタポート３１８により構成された孔から取り去ることができ又は部分的に取り除くことができ、その結果、対応関係にある光コネクタ１７０（図６）をコネクタポート３１８中に挿入することができるようになっている。
【００３３】
図６〜図７Ｂをひとまとめに参照すると、光レセプタクル３００は、上述したように位置決め可能シャッタ組立体３４０を閉じ位置に付勢するばね要素１５２を更に有するのが良い。一般に、ばね要素１５２は、ばね要素１５２の弾性により生じる復元力を有し、即ち、ばね要素１５２を平衡状態から変位させ又は変形させると、復元力がばね要素１５２によって及ぼされる。一実施形態では、ばね要素１５２は、位置決め可能シャッタ組立体３４０のばね係合部分３４２に結合されている。位置決め可能シャッタ組立体３４０は、ばね要素１５２によって閉じ位置に付勢され、その結果、位置決め可能シャッタ組立体３４０を作動させて閉じ位置から離すと、ばね要素１５２の復元力がこの作動に対抗するようになっている。注目されるように、図６〜図７Ａは、ばね係合部分３４２とばね支持部材３５４との間に設けられたコイルばねを示しているが、ばね要素１５２は、任意形状のものであって良く、かかるばね要素を上述したように位置決め可能シャッタ組立体３４０に結合しても良く又はこれと一体にしても良い。
【００３４】
図７Ａ及び図７Ｂに示された実施形態では、光レセプタクル３００は、レセプタクルハウジング３１０に結合されていて、対応関係にある光コネクタ１７０と嵌合する嵌合本体３３０を有する。嵌合本体３３０は、レセプタクルハウジング３１０に直接結合されても良く、或いは、図示のように連結部材３１４によってレセプタクルハウジング３１０に結合されても良い。注目されるように、連結部材３１４がブラケットとして図７Ａ及び図７Ｂに示されているが、連結部材３１４は、レセプタクルハウジング３１０に結合される装置であれば任意のものであって良く、例えば、ブラケット、電気コンポーネント又は回路板である。加うるに、嵌合本体３３０が図６〜図７Ｂにおいてボックス形のものとして示されているが、嵌合本体３３０は、対応関係にある光コネクタ１７０と嵌合するのに適した任意形状のものであって良い。さらに、嵌合本体３３０と連結部材３１４は、互いに一体であっても良い。一実施形態では、レセプタクル光路１３２は、嵌合本体３３０内で終端する。例えば、レセプタクル光路１３２は、光導波路が対応関係にある光コネクタ１７０に対して接近可能であるように嵌合本体３３０を貫通して延びている。別の実施形態では、レセプタクルアライメント部材１３６が嵌合本体３３０に設けられる。レセプタクルアライメント部材１３６は、本明細書において説明するように対応関係にある光コネクタ１７０を嵌合本体３３０に位置合わせすることができる。
【００３５】
次に図７Ａ及び図７Ｂを参照すると、光レセプタクル３００は、レセプタクルハウジング３１０に結合されると共に位置決め可能シャッタ組立体３４０に摺動可能に係合した摺動部材３５６を有するのが良い。摺動部材３５６は、レセプタクルハウジング３１０に結合されたブラケットとして図７Ａ及び図７Ｂに示されている。注目されるように、摺動部材は、コネクタポート３１８に対する位置決め可能シャッタ組立体３４０の並進運動を容易にする装置であればどのようなものであっても良く、例えば、軸受、軌道等である。したがって、本明細書において説明する実施形態によれば、摺動部材３５６は、レセプタクルハウジング３１０及び／又は位置決め可能シャッタ組立体３４０と一体であっても良く又はこれに結合されても良い。例えば、図７Ｂに示されているように、摺動部材３５６は、コネクタポート３１８に結合されている。位置決め可能シャッタ組立体３４０は、閉じ位置と開き位置との間で軸方向に（全体として、図７Ｂにおいて両方向示す矢印の付いた線によって示されている）摺動するのが良い。具体的に説明すると、位置決め可能シャッタ組立体３４０の運動は、位置決め可能シャッタ組立体３４０がコネクタポート３１８に対して中間位置全体を通じて動くよう摺動部材３５６によって拘束される。
【００３６】
再び図６を参照すると、本明細書において説明する実施形態によれば、位置決め可能シャッタ組立体３４０は、触知できる部分３４６を有するのが良い。触知できる部分３４６は、位置決め可能シャッタ組立体３４０の手動による作動を容易にするよう構成されている。触知できる部分３４６が位置決め可能シャッタ組立体３４０の隆起領域として図６に示されているが、触知できる部分３４６は、手動力を受け入れるようになった位置決め可能シャッタ組立体の任意形式の摩擦促進及び／又は人間工学的特徴部であって良く、例えば、被膜、取り付け具、一体形特徴部及びこれらの均等物である。
【００３７】
今や、本明細書において説明した光レセプタクル及び光接続システムは、嵌合プロセス中、光導波路をクリーニングするクリーニング部材を備えた位置決め可能なシャッタ組立体を利用しているということは、理解されるべきである。例えば、消費者向け電子装置、例えば携帯電話は、上記において詳細に説明したように光レセプタクルを有するのが良い。対応関係にある光コネクタを光レセプタクル中に挿入することにより消費者向け電子装置のレセプタクル通路内に位置決めされた光導波路をクリーニングすることができる。定期的にクリーニングされる光導波路を設けることにより消費者向け電子装置と対応関係にある光コネクタとの間のデータ伝送効率を向上させることができる。加うるに、本明細書において説明した実施形態は、位置決め可能なシャッタ組立体を有する光レセプタクル及び／又は位置決め可能なシャッタ組立体を有する光コネクタに関することが注目される。かくして、シャッタを接続のコネクタ側（プラグ側）又はレセプタクル側に実現することができる。
【００３８】
注目されるように、「実質的に」及び「約」という用語は、本明細書においては、任意の量的比較、値、測定又は他の表示にまつわる固有の不確実性を表すために利用されている場合がある。これら用語は又、本明細書においては、量的表示が結果としてあくまで問題の本発明の基本的機能の変化をもたらさないで、記載した基準からばらつきのある場合のある程度を表すために利用されている。
【００３９】
当業者には明らかなように、本発明の精神及び範囲から逸脱することなく、本発明の種々の改造例及び変形例を想到できる。かくして、本発明は、本発明の改造例及び変形例が特許請求の範囲に記載された本発明の範囲及びその均等範囲に属する限り、かかる改造例及び変形例を包含するものである。
【図１】
2013522693.tif 000003
【図２Ａ】
2013522693.tif 000004
【図２Ｂ】
2013522693.tif 000005
【図３Ａ】
2013522693.tif 000006
【図３Ｂ】
2013522693.tif 000007
【図４Ａ】
2013522693.tif 000008
【図４Ｂ】
2013522693.tif 000009
【図５】
2013522693.tif 000010
【図６】
2013522693.tif 000011
【図７Ａ】
2013522693.tif 000012
【図７Ｂ】
2013522693.tif 000013
【手続補正書】
【提出日】平成24年9月26日(2012.9.26)
【手続補正１】
【補正対象書類名】特許請求の範囲
【補正対象項目名】全文
【補正方法】変更
【補正の内容】
【特許請求の範囲】
【請求項１】
対応関係にある光コネクタを受け入れる光レセプタクルであって、前記光レセプタクルは、
レセプタクルハウジングを有し、前記レセプタクルハウジングは、前記レセプタクルハウジングの端のところに設けられたコネクタポート及び前記レセプタクルハウジング内に設けられたレセプタクル通路を有し、前記コネクタポートは、前記対応関係にある光コネクタを受け入れ、
前記レセプタクルハウジング内で終端したレセプタクル光路を有し、前記レセプタクル光路は、光導波路を含み、
前記レセプタクル光路に対する閉じ位置と開き位置を有する位置決め可能なシャッタ組立体を有し、前記位置決め可能なシャッタ組立体は、前記位置決め可能なシャッタ組立体の支持面上に位置決めされたクリーニング部材を含み、
前記対応関係にある光コネクタが前記レセプタクル通路内に位置決めされていないとき、前記位置決め可能なシャッタ組立体が前記閉じ位置に付勢され、前記クリーニング部材が前記光導波路に接触し又はその近くに位置し、前記位置決め可能なシャッタ組立体が前記レセプタクル通路内に配置されるようになっており、
前記対応関係にある光コネクタが前記レセプタクル通路内に位置決めされると、前記位置決め可能なシャッタ組立体が前記開き位置に付勢され、前記クリーニング部材が前記レセプタクル光路を覆った状態に位置決めされることはないようになっている、光レセプタクル。
【請求項２】
光レセプタクル及びこれに対応関係にある光コネクタを有する光接続システムであって、
前記光レセプタクルは、レセプタクルハウジング、レセプタクル光路及び位置決め可能なシャッタ組立体を有し、
前記レセプタクルハウジングは、前記レセプタクルハウジングの端のところに設けられたコネクタポート及び前記コネクタポートから延びるレセプタクル通路を有し、前記コネクタポートは、前記対応関係にある光コネクタを受け入れ、
前記レセプタクル光路は、前記レセプタクルハウジング内で終端し、前記レセプタクル光路は、光導波路を含み、
前記位置決め可能なシャッタ組立体は、前記位置決め可能なシャッタ組立体の支持面上に位置決めされたクリーニング部材を含み、
前記対応関係にある光コネクタは、光コネクタハウジング及びコネクタ光路を有し、
前記対応関係にある光コネクタが前記レセプタクル通路内に位置決めされていないとき、前記位置決め可能なシャッタ組立体が前記閉じ位置に付勢され、その結果、前記クリーニング部材は前記光導波路に接触し又はその近くに位置するようになっており、
前記対応関係にある光コネクタが前記レセプタクル通路内に位置決めされると、前記レセプタクル光路と前記コネクタ光路は互いに光通信状態になり、前記光コネクタハウジングが前記位置決め可能なシャッタ組立体に係合して前記位置決め可能なシャッタ組立体が前記開き位置に付勢され、前記クリーニング部材が前記レセプタクル光路を覆った状態に位置決めされることはないようになっている、光接続システム。
【請求項３】
対応関係にある光コネクタを受け入れる光レセプタクルであって、前記光レセプタクルは、
レセプタクルハウジングを有し、前記レセプタクルハウジングは、前記レセプタクルハウジングに孔を形成するコネクタポートを有し、前記コネクタポートは、前記対応関係にある光コネクタを受け入れ、
前記レセプタクルハウジング内で終端したレセプタクル光路を有し、前記レセプタクル光路は、光導波路を含み、
前記レセプタクル光路に対する閉じ位置と開き位置を有する位置決め可能なシャッタ組立体を有し、前記位置決め可能なシャッタ組立体は、前記位置決め可能なシャッタ組立体の支持面上に位置決めされたクリーニング部材を含み、
前記位置決め可能なシャッタ部材が前記閉じ位置に付勢されると、前記クリーニング部材が前記光導波路に接触し又はこの近くに位置し、前記位置決め可能なシャッタ組立体は、前記コネクタポートを覆い、
前記位置決め可能なシャッタ部材が前記開き位置に付勢されると、前記クリーニング部材が前記レセプタクル光路を覆った状態に位置決めされることはなく、前記位置決め可能なシャッタ組立体は、前記コネクタポートの少なくとも一部分が塞がれないよう前記コネクタポートに隣接して位置する、光レセプタクル。
【国際調査報告】
2013522693.tif 000014
2013522693.tif 000015
2013522693.tif 000016